【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
少なくとも含ませる前には、
ｉ）エーテル基が臭素を含有せず、エーテル基の少なくとも１つがアリル基である、少なくとも１つのテトラブロモビスフェノール−Ｓのジエーテル；または
ｉｉ）エーテル基の少なくとも１つが臭素を含有する、少なくとも１つのテトラブロモビスフェノール−Ｓのジエーテル；または
ｉｉｉ）環上に合計６個の置換基を有し、置換基の少なくとも３個が臭素原子であり、置換基の少なくとも２個がＣ１−４アルキル基である、少なくとも１つの置換ベンゼン；または
ｉｖ）トリブロモネオペンチルアルコール；または
ｖ）各ジブロモアルキル基が独立に３から８個の炭素原子を含有する少なくとも１つのトリス（ジブロモアルキル）ベンゼントリカルボキシレート；または
ｖｉ）部分水素化であるか、アリール末端であるか、もしくは部分水素化ならびにアリール末端である少なくとも１つの臭素化ポリブタジエン；または
ｖｉｉ）少なくとも１つのノボラックの臭素化アリルエーテル；または
ｖｉｉｉ）少なくとも１つの臭素化アリール末端ポリ（１，３−シクロアルカジエン）；または
ｉｘ）少なくとも１つの臭素化ポリ（４−ビニルフェノールアリルエーテル）；または
ｘ）少なくとも１つの臭素化Ｎ，Ｎ’−フェニレンビスマレイミド；または
ｘｉ）少なくとも１つの臭素化Ｎ，Ｎ’−（４，４’−メチレンジフェニル）ビスマレイミド；または
ｘｉｉ）少なくとも１つの臭素化Ｎ，Ｎ’−エチレンビスマレイミド；または
ｘｉｉｉ）ｉ）からｘｉｉ）までの任意の２つ以上の組み合わせ物
である難燃剤をフォームの形成の前または間にフォーム処方中に含ませることにより得られる、スチレン系ポリマーと難燃剤を含んでなる難燃性スチレン系ポリマーフォーム組成物、または、前記難燃剤が含まれている難燃性スチレン系ポリマーフォーム処方。
【請求項２】
前記スチレン系ポリマーフォーム組成物がａ）発泡性スチレン系ポリマービーズもしくは顆粒の形、またはｂ）押出スチレン系ポリマーフォームの形のいずれかであり；前記スチレン系ポリマーフォーム組成物がａ）である場合には、前記難燃剤が
ｉ）エーテル基が臭素を含有せず、エーテル基の少なくとも１つがアリル基である、少なくとも１つのテトラブロモビスフェノール−Ｓのジエーテル；または
ｉｉ）エーテル基の少なくとも１つが臭素を含有する、少なくとも１つのテトラブロモビスフェノール−Ｓのジエーテル；または
ｉｉｉ）環上に合計６個の置換基を有し、置換基の少なくとも３個が臭素原子であり、置換基の少なくとも２個がＣ１−４アルキル基である、少なくとも１つの置換ベンゼン；または
ｉｖ）トリブロモネオペンチルアルコール；または
ｖ）各ジブロモアルキル基が独立に３から８個の炭素原子を含有する少なくとも１つのトリス（ジブロモアルキル）ベンゼントリカルボキシレート；または
ｖｉ）部分水素化であるか、アリール末端であるか、もしくは部分水素化ならびにアリール末端である少なくとも１つの臭素化ポリブタジエン；または
ｖｉｉ）少なくとも１つのノボラックの臭素化アリルエーテル；またはｉ）からｖｉｉ）の任意の２つ以上の組み合わせ物
であり、ならびに前記スチレン系ポリマーフォーム組成物がｂ）である場合には、前記難燃剤が
ｉｉ）エーテル基の少なくとも１つが臭素を含有する、少なくとも１つのテトラブロモビスフェノール−Ｓのジエーテル；または
ｉｉｉ）環上に合計６個の置換基を有し、置換基の少なくとも３個が臭素原子であり、置換基の少なくとも２個がＣ１−４アルキル基である、少なくとも１つの置換ベンゼン；または
ｉｖ）トリブロモネオペンチルアルコール；または
ｖ）各ジブロモアルキル基が独立に３から８個の炭素原子を含有する、少なくとも１つのトリス（ジブロモアルキル）ベンゼントリカルボキシレート；または
ｖｉ）部分水素化であるか、アリール末端であるか、もしくは部分水素化ならびにアリール末端である少なくとも１つの臭素化ポリブタジエン；または
ｖｉｉ）少なくとも１つのノボラックの臭素化アリルエーテル；または
ｖｉｉｉ）少なくとも１つの臭素化ポリ（１，３−シクロアルカジエン）；または
ｉｘ）少なくとも１つの臭素化ポリ（４−ビニルフェノールアリルエーテル）；または
ｘ）少なくとも１つの臭素化Ｎ，Ｎ’−フェニレンビスマレイミド；または
ｘｉ）少なくとも１つの臭素化Ｎ，Ｎ’−（４，４’−メチレンジフェニル）ビスマレイミド；または
ｘｉｉ）少なくとも１つの臭素化Ｎ，Ｎ’−エチレンビスマレイミド；またはｉｉ）からｘｉｉ）の任意の２つ以上の組み合わせ物
である、請求項１に記載の難燃性スチレン系ポリマーフォーム組成物。
【請求項３】
他の難燃剤が使用されない、請求項２に記載の組成物。
【請求項４】
前記スチレン系ポリマーフォーム組成物が発泡性スチレン系ポリマービーズもしくは顆粒の形のものであり、少なくとも１つの相乗剤または少なくとも１つの熱安定剤が前記組成物中に含まれるか、または、前記スチレン系ポリマーフォーム組成物が押出スチレン系ポリマーフォームの形のものであり、少なくとも１つの相乗剤または少なくとも１つの熱安定剤が前記組成物中に含まれる、請求項３に記載の組成物。
【請求項５】
前記難燃剤が少なくとも１つのテトラブロモビスフェノール−Ｓのジエーテルであり、エーテル基が臭素を含有せず、エーテル基の少なくとも１つがアリル基であり、ならびに前記テトラブロモビスフェノール−Ｓのジエーテルがテトラブロモビスフェノール−Ｓのビス（アリルエーテル）である、請求項１に記載の組成物、または、処方。
【請求項６】
前記難燃剤が少なくとも１つのテトラブロモビスフェノール−Ｓのジエーテルであり、エーテル基の少なくとも１つが臭素を含有し、前記テトラブロモビスフェノール−Ｓのジエーテルがテトラブロモビスフェノール−Ｓのビス（２，３−ジブロモプロピルエーテル）である、請求項１に記載の組成物、または、処方。
【請求項７】
前記難燃剤が環上に合計６個の置換基を有し、置換基の少なくとも３個が臭素原子であり、置換基の少なくとも２個がＣ１−４アルキル基である少なくとも１つの置換ベンゼンであり、ならびに少なくとも１つのテトラブロモキシレンである請求項１に記載の組成物、または、処方。
【請求項８】
前記難燃剤が各ジブロモアルキル基が独立に３から８個の炭素原子を含有する、少なくとも１つのトリス（ジブロモアルキル）ベンゼントリカルボキシレートであり、前記トリス（ジブロモアルキル）ベンゼントリカルボキシレートがトリス（２，３−ジブロモプロピル）１，２，４−ベンゼントリカルボキシレートまたはトリス（２，３−ジブロモプロピル）１，３，５−ベンゼントリカルボキシレートである、請求項１に記載の組成物、または、処方。
【請求項９】
前記難燃剤が少なくとも１つの臭素化アリール末端の部分水素化ポリブタジエンである、請求項１に記載の組成物、または、処方。
【請求項１０】
前記難燃剤が少なくとも１つの臭素化ポリ（１，３−シクロアルカジエン）であり、前記臭素化ポリ（１，３−シクロアルカジエン）が少なくとも１つの臭素化ポリ（１，３−シクロヘキサジエン）または少なくとも１つの臭素化アリール末端ポリ（１，３−シクロヘキサジエン）である、請求項１に記載の組成物、または、処方。
【請求項１１】
前記スチレン系ポリマーフォーム組成物が発泡性スチレン系ポリマービーズもしくは顆粒の形であり、前記発泡性スチレン系ビーズもしくは顆粒のスチレン系ポリマーが平均少なくとも８０重量％の重合スチレンから構成される、請求項２に記載の組成物。
【請求項１２】
前記スチレン系ポリマーフォーム組成物が押出スチレン系ポリマーフォームの形であり、前記押出スチレン系ポリマーフォームが少なくとも８０重量％の重合スチレンから構成される、請求項２に記載の組成物。
【請求項１３】
前記スチレン系ポリマーがクリスタルポリスチレンである、請求項１に記載の組成物。
【請求項１４】
相乗剤が含まれ、前記相乗剤がジクミルである、請求項４に記載の組成物。
【請求項１５】
前記難燃剤が環上に合計６個の置換基を有し、置換基の少なくとも３個が臭素原子であり、置換基の少なくとも２個がＣ１−４アルキル基である少なくとも１つの置換ベンゼンであり、ならびに少なくとも１つのテトラブロモキシレンである請求項１４に記載の組成物。
【請求項１６】
熱安定剤が含まれ、前記熱安定剤がジイソブチルスズマレエートまたはヒドロカルサイトである、請求項４に記載の組成物。
【請求項１７】
前記熱安定剤がジイソブチルスズマレエートであり、前記難燃剤が少なくとも１つの臭素化アリール末端の部分水素化ポリブタジエンであるか、または、少なくとも１つの臭素化アリール末端の部分水素化ポリブタジエンまたは少なくとも１つの臭素化アリール末端ポリ（１，３−シクロアルカジエン）のいずれかである、請求項１６に記載の組成物。
【請求項１８】
ｉ）エーテル基が臭素を含有せず、エーテル基の少なくとも１つがアリル基である、少なくとも１つのテトラブロモビスフェノール−Ｓのジエーテル；または
ｉｉ）エーテル基の少なくとも１つが臭素を含有する、少なくとも１つのテトラブロモビスフェノール−Ｓのジエーテル；または
ｉｉｉ）環上に合計６個の置換基を有し、置換基の少なくとも３個が臭素原子であり、置換基の少なくとも２個がＣ１−４アルキル基である、少なくとも１つの置換ベンゼン；または
ｉｖ）トリブロモネオペンチルアルコール；または
ｖ）各ジブロモアルキル基が独立に３から８個の炭素原子を含有する、少なくとも１つのトリス（ジブロモアルキル）ベンゼントリカルボキシレート；または
ｖｉ）部分水素化であるか、アリール末端であるか、もしくは部分水素化ならびにアリール末端である少なくとも１つの臭素化ポリブタジエン；または
ｖｉｉ）少なくとも１つのノボラックの臭素化アリルエーテル；または
ｖｉｉｉ）少なくとも１つの臭素化アリール末端ポリ（１，３−シクロアルカジエン）；または
ｉｘ）少なくとも１つの臭素化ポリ（４−ビニルフェノールアリルエーテル）；または
ｘ）少なくとも１つの臭素化Ｎ，Ｎ’−フェニレンビスマレイミド；または
ｘｉ）少なくとも１つの臭素化Ｎ，Ｎ’−（４，４’−メチレンジフェニル）ビスマレイミド；または
ｘｉｉ）少なくとも１つの臭素化Ｎ，Ｎ’−エチレンビスマレイミド；または
ｘｉｉｉ）ｉ）からｘｉｉ）までの任意の２つ以上の組み合わせ物
をフォームの形成の前または間に前記組成物のフォーム処方中に含ませることからなる、請求項１に記載の難燃性スチレン系ポリマーフォーム組成物を製造する方法。
【請求項１９】
前記混合物中に難燃剤量の請求項１８に記載の難燃剤を含ませることを特徴とする、少なくとも１つのスチレン系モノマーから構成される懸濁重合性混合物から発泡性スチレン系ビーズもしくは顆粒を製造する方法。
【請求項２０】
前記少なくとも１つのスチレン系モノマーがスチレン系モノマーの混合物であり、前記モノマーの少なくとも８０重量％がスチレンである、請求項１９に記載の方法。
【請求項２１】
請求項１８に記載の少なくとも１つの難燃剤が含まれる懸濁重合処方から形成される小さいビーズまたは顆粒を発泡することを含んでなる、少なくとも１つのスチレン系ポリマーの大きい発泡ビーズまたは顆粒を製造する方法。
【請求項２２】
前記小さいスチレン系ビーズもしくは顆粒および前記大きいスチレン系ビーズもしくは顆粒が少なくとも８０重量％のスチレンから構成される、請求項２１に記載の方法。
【請求項２３】
請求項１８に記載の少なくとも１つの難燃剤が含まれる処方から形成される少なくとも１つのスチレン系ポリマーの発泡ビーズもしくは顆粒を成形することを含んでなる、スチレン系ポリマーフォームを製造する方法。
【請求項２４】
前記少なくとも１つのスチレン系ポリマーが少なくとも８０重量％のスチレンから構成される、請求項２３に記載の方法。
【請求項２５】
前記混合物中に難燃剤量の請求項１８に記載の難燃剤を含ませることを特徴とする、フォーム化可能な溶融スチレン系ポリマー混合物から押出スチレン系フォームを製造する方法。
【請求項２６】
前記少なくとも１つのスチレン系ポリマーが少なくとも８０重量％の重合スチレンから構成される、請求項２５に記載の方法。
【請求項２７】
前記少なくとも１つのスチレン系ポリマーがクリスタルポリスチレンである、請求項２５に記載の方法。
【請求項２８】
ａ）臭素化部分水素化ポリブタジエン；
ｂ）臭素化アリール末端ポリブタジエン；
ｃ）臭素化アリール末端の部分水素化ポリブタジエン；
ｄ）ノボラックの臭素化アリルエーテル；
ｅ）臭素化ポリ（１，３−シクロアルカジエン）；
ｆ）臭素化アリール末端ポリ（１，３−シクロヘキサジエン）；
ｇ）臭素化Ｎ，Ｎ’−フェニレンビスマレイミド；
ｈ）臭素化Ｎ，Ｎ’−１，３−フェニレンビスマレイミド；
ｉ）臭素化Ｎ，Ｎ’−（４，４’−メチレンジフェニル）ビスマレイミド；または
ｊ）臭素化Ｎ，Ｎ’−エチレンビスマレイミド
の少なくとも１つを含んでなる、物質組成物。
【請求項２９】
請求項２８に記載の物質組成物の製造方法であって、液体媒体中において、臭素と、
ｃ）少なくとも１つのアリール末端部分水素化ポリブタジエンを接触させて臭素化アリール末端の部分水素化ポリブタジエンを製造すること、または、
ｄ）少なくとも１つのノボラックのアリルエーテルを接触させてノボラックの臭素化アリルエーテルを製造すること、または、
ｅ）少なくとも１つのポリ（１，３−シクロアルカジエン）を接触させて臭素化ポリ（１，３−シクロアルカジエン）を製造すること、または、
ｇ）少なくとも１つのＮ，Ｎ’−フェニレンビスマレイミドを接触させて臭素化Ｎ，Ｎ’−フェニレンビスマレイミドを製造すること、または、
ｉ）Ｎ，Ｎ’−（４，４’−メチレンジフェニル）ビスマレイミドを接触させて臭素化Ｎ，Ｎ’−（４，４’−メチレンジフェニル）ビスマレイミドを製造すること、または、
ｊ）Ｎ，Ｎ’−エチレンビスマレイミドを接触させて臭素化Ｎ，Ｎ’−エチレンビスマレイミドを製造すること、
を特徴とする方法。